(57)【要約】【課題】防音材やバイパスなどの追加を行うことなく騒音低減を行うことができる空気調和装置の制御方法を提供すること。【解決手段】本発明の空気調和装置の制御方法は、圧縮機、室外熱交換器、室外送風機、四方弁、電子膨張弁を有する室外機と、室内熱交換器、室内送風機を有する室内機とを接続し、運転停止時の膨張弁開度の下限を設定することにより、停止時の膨張弁開度の確保を行い、防音材やバイパスなどの追加を行うことなく、膨張弁から発生する振動、騒音を抑制することができる。【選択図】図１
2011257031.tif 000002
【特許請求の範囲】
【請求項１】
圧縮機、室外熱交換器、室外送風機、四方弁、電子膨張弁を有する室外機と、室内熱交換器、室内送風機を有する室内機とを接続し、運転停止時の膨張弁開度の下限を設定することを特徴とする空気調和装置の制御方法。
【請求項２】
運転停止時の膨張弁開度と時間を制御し、段階的に膨張弁を開くことを特徴とする請求項１に記載の空気調和装置の制御方法。
【請求項３】
室内熱交換器温度検出装置と、室外熱交換器温度検出装置とを備え、運転停止直前の凝縮側熱交換器温度の温度によって、停止時の膨張弁開度下限の設定を変化させることを特徴とする請求項１に記載の空気調和装置の制御方法。
【請求項４】
室内熱交換器温度検出装置と、室外熱交換器温度検出装置とを備え、運転停止直前の室内熱交換器の温度と室外熱交換器の温度との温度差により膨張弁開度下限の設定を変化させることを特徴とする請求項１に記載の空気調和装置の制御方法。
【発明の詳細な説明】
【技術分野】
【０００１】
本発明は、空気調和装置の制御に関するものである。
【背景技術】
【０００２】
一般的に、空気調和機内部では運転中に冷媒が高圧と低圧になっているため、停止させるとその圧力差から冷媒の移動が生じ騒音が発生する。そのため、従来の空気調和機ではこの騒音を低減するため、停止時に膨張弁の開度を停止直前の開度で維持することで冷媒の移動を抑制し騒音低減を図っている。また、特許文献１のように別にバイパスを設けることで高圧と低圧のバランスを促進させる技術がある（例えば、特許文献１参照）。
【先行技術文献】
【特許文献】
【０００３】
【特許文献１】特開昭５８−１８４４７３号公報
【発明の概要】
【発明が解決しようとする課題】
【０００４】
しかしながら、高圧と低圧の差が大きく、かつ運転中膨張弁開度が小さい場合の停止時においては、室外機から不快な騒音が発生するという課題を有していた。このような課題に対する解決方法としては、膨張弁を防音材で囲うことで騒音低減できるが、根本的な解決とならず、また、停止直後に膨張弁開度を大きく開くことでこの振動を防ぐことができるが、元々の目的である冷媒の移動に伴い発生する騒音は防ぐことができない。
【０００５】
本発明は、前記従来の課題を解決するもので、防音材やバイパスなどの追加を行うことなく騒音低減を行うことができる空気調和装置の制御方法を提供することを目的とする。
【課題を解決するための手段】
【０００６】
前記従来の課題を解決するために、本発明の空気調和装置の制御方法は、圧縮機、室外熱交換器、室外送風機、四方弁、電子膨張弁を有する室外機と、室内熱交換器、室内送風機を有する室内機とを接続し、運転停止時の膨張弁開度の下限を設定することにより、停止時の膨張弁開度の確保を行い、膨張弁から発生する振動、騒音を抑制する。
【発明の効果】
【０００７】
本発明は、防音材やバイパスなどの追加を行うことなく騒音低減を行うことができる空気調和装置の制御方法を提供することができる。
【図面の簡単な説明】
【０００８】
【図１】本発明の空気調和装置の実施の形態１における冷凍サイクル図
【図２】実施の形態２における膨張弁開度と時間の関係図
【発明を実施するための形態】
【０００９】
第１の発明の空気調和装置の制御方法は、圧縮機、室外熱交換器、室外送風機、四方弁、電子膨張弁を有する室外機と、室内熱交換器、室内送風機を有する室内機とを接続し、運転停止時の膨張弁開度の下限を設定することにより、停止時の膨張弁開度の確保を行い、膨張弁から発生する振動、騒音を抑制する。
【００１０】
第２の発明の空気調和装置の制御方法は、特に第１の発明において、運転停止時の膨張弁開度と時間を制御し、段階的に膨張弁を開くことにより、冷媒の移動による騒音と膨張
弁からの振動の両方の問題を抑える。
【００１１】
第３の発明の空気調和装置の制御方法は、特に第１の発明において、室内熱交換器温度検出装置と、室外熱交換器温度検出装置とを備え、運転停止直前の凝縮側熱交換器温度の温度によって、停止時の膨張弁開度下限の設定を変化させることにより、騒音と振動を抑制させる。
【００１２】
第４の発明の空気調和装置の制御方法は、特に第１の発明において、室内熱交換器温度検出装置と、室外熱交換器温度検出装置とを備え、運転停止直前の室内熱交換器の温度と室外熱交換器の温度との温度差により膨張弁開度下限の設定を変化させることにより、騒音と振動を抑制させる。
【００１３】
以下、本発明の実施の形態について、図面を参照しながら説明する。なお、この実施の形態によって本発明が限定されるものではない。
【００１４】
（実施の形態１）
第１の発明は図１のように圧縮機２、室外熱交換器３、室外送風機４、四方弁７、膨張弁８を有する室外機１と、室内熱交換器１４、室内送風機１３を有する室内機１２とを接続し、少なくとも冷房運転または除湿運転または暖房運転を行う空気調和装置の制御方法についての発明である。
【００１５】
また、室外熱交換器３には温度を検出する室外熱交換器温度検出装置９と、室内熱交換器１４には温度を検出する室内熱交換器温度検出装置１５とを設けており、それぞれの熱交換器の温度を検出している。
【００１６】
このように構成された空気調和装置において、空気調和装置の内部では運転中に冷媒が高圧と低圧になっているため、停止させるとその圧力差から冷媒の移動が起こり騒音が発生してしまう。
【００１７】
従来の空気調和機ではこの騒音を低減するため、停止時に膨張弁８の開度を停止直前の開度で維持することで冷媒の移動を抑制し騒音低減を図っているが、高圧と低圧の差が大きく、かつ運転中膨張弁開度が小さい場合の条件において、停止時に冷媒の移動により膨張弁８が振動し、室外機１から不快な騒音が発生するという別の問題がある。
【００１８】
そこで停止時下限開度Ｐ１を設定し、停止時の膨張弁開度を以下のように制御する。
【００１９】
まず、停止直前開度が停止時下限開度よりも大きい場合は、膨張弁開度を停止直前開度とし、停止直前開度が停止時下限開度よりも小さい場合は、膨張弁開度を停止時下限開度とする。
【００２０】
このように停止時の膨張弁８の開度を、このように維持することにより、停止時の膨張弁開度の確保を行い、膨張弁８から発生する振動、騒音を抑制する。例えば停止時下限開度Ｐ１＝１２０パルスと設定されている場合、停止直前開度が１５０パルスの場合は、停止直前開度＞停止時下限開度Ｐ１であるため停止時の膨張弁開度を１５０パルスとする。
【００２１】
また、停止直前開度が１００パルスの場合、停止直前開度＜停止時下限開度Ｐ１であるため、停止時の膨張弁開度を停止時下限開度Ｐ１の１２０パルスとする。
【００２２】
（実施の形態２）
実施の形態２における空気調和装置では、運転停止時の膨張弁開度を以下のように制御
することで騒音と振動を抑制させる。なお、空気調和装置の構成は実施の形態１と同じであるので、その説明は省略する。
【００２３】
実施の形態２では、停止時の膨張弁開度を停止直前開度とし、一定時間毎（たとえば３０秒毎）に膨張弁開度を一定量（例えば２０パルス毎）開いていく（図２参照）。このように膨張弁開度を時間により制御し徐々に開度を開くことで冷媒の移動による騒音と膨張弁からの振動の両方の問題を抑える。
【００２４】
（実施の形態３）
実施の形態３における空気調和装置では、運転停止時の膨張弁開度を以下のように制御することで騒音と振動を抑制させる。なお、空気調和装置の構成は実施の形態１と同じであるので、その説明は省略する。
【００２５】
凝縮側の熱交換器（冷房時は室外熱交換器３、暖房時は室内熱交換器１４）の熱交換器温度を検出し、ある閾値Ｔ１より低い場合は、通常の開度（停止直前の膨張弁開度）で停止させる。
【００２６】
また、閾値Ｔ１より高い場合は、高圧が高く騒音、振動が発生しやすいと判断し、第１の発明と同様に停止下限開度Ｐ１と停止直前開度との比較を行い、停止開度の制御を行う。または第２の発明と同様に、時間により膨張弁開度を制御してもよい。
【００２７】
（実施の形態４）
実施の形態４における空気調和装置では、運転停止時の膨張弁開度を以下のように制御することで騒音と振動を抑制させる。なお、空気調和装置の構成は実施の形態１と同じであるので、その説明は省略する。
【００２８】
まず、室外熱交換器３と室内熱交換器１４の熱交換器温度を検出し、その温度差がある閾値Ｔ２より低い場合は、通常の開度で停止させる。閾値Ｔ２より高い場合は、高圧と低圧の差が大きく騒音、振動が発生しやすいと判断し、第１の発明と同様に停止下限開度Ｐ１と停止直前開度との比較を行い、停止開度の制御を行う。または第２の発明と同様に時間により膨張弁開度を制御してもよい。
【産業上の利用可能性】
【００２９】
以上のように本発明にかかる空気調和装置は、多室型空気調和機に応用すること可能である。
【符号の説明】
【００３０】
１  室外機
２  圧縮機
３  室外熱交換器
４  室外送風機
７  四方弁
８  膨張弁
９  室外熱交換器温度検出装置
１２  室内機
１３  室内送風機
１４  室内熱交換器
１５  室内熱交換器温度検出装置
【図１】
2011257031.tif 000003
【図２】
2011257031.tif 000004